(57)【要約】【目的】  モータ駆動による撮影動作をモータの正逆回転で行う方式やモータの一方向回転であっても各動作点の回転位相制御を電子制御する方法などで生じる時間ロスを無くし、正確で高速動作が可能なミラーのクイックリターン機構を提供する。【構成】  ミラー上昇とシャッター始動、ミラー下降とシャッターチャージ動作の一連の撮影動作を行うために設けたカム盤２１とミラー上昇の発動位置とシャッターチャージ完了位置を決める制止盤Ａ２３，制止盤Ｂ２４及び回転連動のためのカムギヤ２０を一体成形したカムブロックＣＢにし、周囲に配設した制止レバーＡ２７，制止レバーＢ３３によって、当該カムブロックＣＢの一方向回転で、前記ミラー上昇位置とシャッターチャージ完了位置に回転制止による位置規制と回転可能のためのリセットを行わせる。【選択図】図１
2006184717.tif 000002
【特許請求の範囲】
【請求項１】
一眼レフカメラのミラーアップからシャッター動作、ミラーダウン、シャッターチャージの一連の撮影動作をモータ連動のカム盤の一方向回転で行うクイックリターン機構において、前記カム盤の回転位置で決定する各作動点を複数の制止レバーによる制止動作の位置決めで得られるものにし、前記カム盤の位置決め点での制止と解除及びリセットを前記カム盤の１回転中に行えるよう前記複数の制止レバーを前記カム盤の周囲に配設したことを特徴とする一眼レフカメラのミラークイックリターン機構。
【請求項２】
前記モータに連動し、前記カム盤を回転駆動するカムギヤはシャッターチャージのためのカム盤、ミラー上昇を発動するための解除盤、ミラー上昇の発動位置を決定する制止盤及びシャッターチャージ完了位置を決定する制止盤をそれぞれ積み重ねて一体成形したものであることを特徴とする一眼レフカメラのミラークイックリターン機構。
【発明の詳細な説明】
【技術分野】
【０００１】
本発明は一眼レフカメラのミラーボックス機構に関し、特にミラーのクイックリターン機構に関する。
【背景技術】
【０００２】
電動式一眼レフカメラのミラーボックス機構ではミラーの上昇と下降動作のほか、シャッターの始動動作とシャッターのチャージ動作が必要なため、それぞれを個々のモータで行わせる方法やミラーとシャッターチャージ動作をモータでおこない、それらの始動を電磁プランジャーでおこなう方法などがあるが、いずれも機構の複雑さや価格面で問題があった。
【０００３】
この解決策として、本出願人より特開２００１−１７４９０６号公報として一個のモータの回転動作を正方向の微少回転と逆方向の多数回転に分け、正回転でミラー上昇及びシャッター始動、逆回転でミラー下降とミラー及びシャッターチャージの作動を分担させ、それぞれの回転において、回転規制手段を設ける方法を提案し、効果が得られたが、この方法で連続撮影モードのより高速動作を求めた場合、微少回転とは言え、連続動作において回転方向を瞬間に変換することは時間のロスは避けられないものであった。
【０００４】
また、モータ駆動による高速連写動作を求めた場合、特許２６９９９７５号公報で示されているようなモータの一方向回転で撮影動作が行える機構の方が良いと思われるが、当該公報内容のようにモータＭ１の一方向回転動力で、ミラーを上昇させ、次の回転でミラーを下降させるモータＭ１の直接回転による揺動動作方式では、モータ起動時の負荷が過大で、大きな起動トルクと共に過大な起動電流を要するモータとなり、モータの効率低下と共に寿命低下を招く恐れが懸念されるし、同内容の第４図（ａ）及び（ｂ）に示されているようにミラー上昇及びシャッター始動、ミラー下降及びシャッターチャージを作動させる一連の撮影動作の各動作の位相点における正確な位置制御は回転ブラシ１２２がプリント基板１６０の検知パターン面を摺動し、そこから得られる位置検知信号によって行う方法を採っていて、複雑なプログラムによる電子制御手段を用いなければならず、慣性を考慮した回転速度制御を伴う精密な位置決めをこの方法で行う場合、瞬時の回転及び停止の俊敏な間欠動作が得られず、一作動の時間が必要以上にかかる結果となっていた。
【特許文献１】特開２００１−１７４９０６号公報
【特許文献２】特許２６９９９７５号公報
【発明の開示】
【発明が解決しようとする課題】
【０００５】
モータ駆動による撮影動作をモータの正逆回転で行う方式やモータの一方向回転であっても各動作点の回転位相制御を電子制御する方法などで生じる時間ロスを無くし、正確で高速動作が可能なミラーのクイックリターン機構を提供する。
【課題を解決するための手段】
【０００６】
本発明においては従来から用いているばねのチャージ機構と作動動態に合わせて解除する機構を採用していて、ミラー上昇とシャッター始動、ミラー下降とシャッターチャージ動作の一連の撮影動作を行うために設けたカム盤とミラー上昇の発動位置とシャッターチャージ完了位置を決める制止盤及び回転連動のためのカムギヤを一体成形したカムブロックにし、周囲に配設した２つの制止レバーによって、当該カムブロックの一方向回転で、前記ミラー上昇位置とシャッターチャージ完了位置に回転制止による位置規制と回転可能のためのリセットが行える構造にすることにより、高速連続動作を可能にし、動作の高効率化を実現した。
【発明の効果】
【０００７】
本発明は従来から用いているばねのチャージ機構と作動動態に合わせて解除する機構を採用していて、ミラー上昇とシャッター始動、ミラー下降とシャッターチャージ動作の一連の撮影動作を行うために設けたカム盤とミラー上昇の発動位置とシャッターチャージ完了位置を決める制止盤及び回転連動のためのカムギヤを一体成形したカムブロックにし、周囲に配設した２つの制止レバーによって、当該カムブロックの一方向回転で、前記ミラー上昇位置とシャッターチャージ完了位置に回転制止による位置規制と回転可能のためのリセットが行える構造にすることにより、ミラーのクイックリターン動作をモータによるカム盤の一方向回転において、必要とするカム盤の回転位置に正確且つ、瞬時に停止せしめることが可能で、回転位置を機械的に位置規制するため、高速と正確さが保証されたミラーボックス機構動作のシーケンシャル制御ができ、簡易で実用的なミラーボックスが実現する。
【発明を実施するための最良の形態】
【０００８】
以下、図面等を参照して本発明の最も良好な実施形態を説明する。
【０００９】
図１は、本発明のミラークイックリターン機構の構成平面図であって、図２は当該機構の動作の様子を表した図である。図３はカムブロックＣＢの形状を表した斜視図で、図４は制止レバーＡ２７及びＢ３３の構成拡大図であり、図５は制止レバーＡ２７及びＢ３３の動作の様子を表した構成拡大図である。
【００１０】
図１はミラーボックス１内に設置するミラー２が下降したファインダーの観察位置にあり、図示していないシャッターのセットレバーピン３が最下位のチャージ位置で、ミラー上昇のためのチャージばね４がチャージされた状態の撮影スタート前の状態を示している。
【００１１】
ミラー２はミラー受け５で受けられ、ヒンジ軸６を中心に上下４５°以上を揺動可能で、図示されていないばねによって常に下方向に付勢されている。ミラー受け５に固定されている駆動軸７にはＱＲレバー８の先端８ａが接していて、ＱＲレバー８がＱＲ軸９を中心にミラー２の下方向の付勢ばねに逆らって右方向に回動すれば、先端８ａが駆動軸７を押し上げ、ミラー２はヒンジ軸６を中心に円弧状に回転上昇するようになっている。
【００１２】
ＱＲレバー８のＱＲ軸９を同軸として、下側にチャージレバー１０があり、三つ指状になっていて、右側の指１０ａに在るばね掛けピン１０ｄとミラーボックス１のばね掛けピン１ａとの間にチャージばね４が懸架されていて右方向回転の付勢が与えられている。図１ではこの右側の指１０ａの先端はミラーボックス１に設置されているロックレバー１１の上先端部の切り欠き部に当接していて、チャージレバー１０の右方向回転習性に対し係止している。
【００１３】
チャージレバー１０の中央の中指１０ｂの先端にはローラ１４が設置されていて、カム盤２１に接触し、カム盤２１面上を転動するようになっているし、左側の指１０ｃの先端は図示していないシャッターのセットレバーピン３に接触して、チャージレバー１０の左回転により当該セットレバーピン３を押し下げ、シャッター走行のためのチャージが可能となっている。
【００１４】
チャージレバー１０とＱＲレバー８の間にＭＤばね１８が掛けられていてＱＲレバー８がチャージレバー１０に対してＱＲ軸９を中心に左回転する方向の付勢が与えられている。また、ＱＲレバー８には係止レバー軸１６ａがあり、これを軸とした係止レバー１６が設置されていて、係止レバー１６とＱＲレバー８との間に掛けられている係止レバーばね１７によって左回転方向の付勢が与えられ、チャージレバー１０に突設してある半円の係止ピン１０ｅに当接して切り欠き部に掛かり、チャージレバー１０に対してＱＲレバー８が左回転する方向の習性に対して係止できるようになっている。このため図１に示すようにＱＲ軸９を中心軸にしてチャージレバー１０とＱＲレバー８が係止レバー１６を介して一体化され、回転可能になっている。
【００１５】
前記カム盤２１の駆動系ではモータ３７から得られた回転動力を減速ギヤ列１９を経てカム軸１５を共通軸とするカムギヤ２０（図３に示す）の回転に伝えている。これによりモータ３７の左方向の回転によりカム盤２１を左方向に回転することができる。
【００１６】
図３に示す斜視図はカム軸１５を軸芯として表面に押圧ピン２１ａが植設され、頂部２１ｂと谷部２１ｃを有する形のカム盤２１とその下に突出形の解除カム２２ａを有する解除盤２２、突出形の制止カムＡ２３ａを有する制止盤Ａ２３、制止カムＡ２３ａに対して一定角だけ進相位置にあって段違いに設置されている制止カムＢ２４ａを有する制止盤Ｂ２４と続き、最下位にカムギヤ２０を重ねて一体にしたカムブロックＣＢの構成を示している。
【００１７】
ミラークイックリターン動作のスタート前の状態である図１ではカム軸１５を中心とし一方向左回転のカム盤２１のカム形状に合わせてチャージばね４の抗力に逆らってチャージレバー１０の中指１０ｂのローラ１４を押し、図３に図示のカム盤２１の頂部２１ｂ位置でチャージレバー１０の右側の指１０ａの先端がロックレバー１１で係止された状態にある。後に詳述するがこの位置でカム盤２１が制止状態にあるのはミラーボックス１側に固設する制止レバー軸Ａ２６を軸とした制止レバーＡ２７が制止盤Ａ２３側に倒れていて、その先端部に制止カムＡ２３ａが当接して回転が阻止されるためである。これも後に詳述するが図１の状態では一旦、カムブロックＣＢが回転を阻止された後、電流が遮断されて、モータ３７からの駆動力が無くなった時、制止ばねＡ３０の復元力で制止レバーＡ２７が左回転して解除し、再びカムブロックＣＢが左方向の回転が継続できるようになった状態を示している。
【００１８】
カム盤２１を作動位置に合わせて停止させるための制止レバーＡ２７と制止レバーＢ３３がカム軸１５を中心にしたカムブロックＣＢの周囲に並んで設置されていて、制止盤Ａ２３に対しては制止レバーＡ２７が対応し制止盤Ｂ２４に対しては制止レバーＢ３３が対応できるよう上下に段差を設けて設置してある。すなわち制止レバーＢ３３は制止レバーＡ２７より一段下がった位置に設置され、制止カムＡ２３ａが制止レバーＢ３３に、或いは制止カムＢ２４ａが制止レバーＡ２７に干渉しないようになっている。
【００１９】
ここで２つの制止レバーＡ２７と制止レバーＢ３３について詳しく説明すると、お互い形状及び機構は同じであるが、設置の高さは前述のようにお互い干渉しないよう段差が設けてあるほか、カム盤２１の左回転における作動点に対応する位置で停止できる配置になっている。図４の拡大図で示すように制止レバーＡ２７と制止レバーＢ３３はそれぞれ制止レバー軸Ａ２６と制止レバー軸Ｂ３２を回転軸としてカムブロックＣＢのカム軸１５に向かって接近或いは離反する回転動作ができるようになっているが、制止ばねＡ３０と制止ばねＢ３６によって、それぞれカムブロックＣＢに対して離反する方向に付勢されている。
【００２０】
制止レバーＡ２７及び制止レバーＢ３３の頭部にはそれぞれフックレバー軸Ａ２７ａ及びフックレバー軸Ｂ３３ａが植設されていて、これを軸として回転可能なフックレバーＡ２８とフックレバーＢ３４が嵌着され、制止レバーＡ２７及び制止レバーＢ３３に対して右の回転方向に付勢を与えるためのフックばねＡ２９とフックばねＢ３５がそれぞれに架設されている。これにより制止レバーＡ２７及び制止レバーＢ３３の左回転習性に対し、図４に示すように通常、フックレバーＡ２８及びフックレバーＢ３４の鍵部２８ｂ、３４ｂがミラーボックス１の固定側に立設されているフックピンＡ２５及びフックピンＢ３１と係止した状態で保持されている。
【００２１】
制止レバーＡ２７及び制止レバーＢ３３の先端にはカムブロックＣＢの制止カムＡ２３ａ及び制止カムＢ２４ａと衝突し、カムブロックＣＢの回転が制止させられる制止部２７ｂと３３ｂがあって、フックレバーＡ２８及びフックレバーＢ３４の鍵部２８ｂ、３４ｂがフックピンＡ２５及びフックピンＢ３１に係止している状態では図４に示すように、右側の先端の解除部２８ａ及び３４ａは制止レバーＡ２７及び制止レバーＢ３３の先端の制止部２７ｂ及び３３ｂから若干飛び出た状態にある。これは前記カムブロックＣＢの制止カムＡ２３ａ及び制止カムＢ２４ａが制止レバーＡ２７及び制止レバーＢ３３の先端の制止部２７ｂ及び３３ｂに当たる前に解除部２８ａ及び３４ａに作用しフックレバーＡ２８及びフックレバーＢ３４を右方向に回転させ鍵部２８ｂ、３４ｂがフックピンＡ２５及びフックピンＢ３１から離れ、係止を解くためである。
【００２２】
以上のような機能を有する制止レバーＡ２７及び制止レバーＢ３３を配設した本ミラーボックス機構において、図２に示す順序に従って動作を説明すると、図２の２Ａは動作開始前の図１と同じスタートのスタンバイ状態で、ミラー２は下降状態にあり、被写体をファインダーを通して視認可能な状態にある。モータ３７から駆動されるカムブロックＣＢのカム盤２１は頂部２１ｂでチャージレバー１０の中指１０ｂにあるローラ１４を押し切った状態で停止していて、チャージレバー１０がチャージばね４の収縮力に逆らった最大左回転位置でロックレバー１１により、係止緊定状態を保っている。これはチャージレバー１０の左側の指１０ｃで図示しないシャッターを走行させるためのセットレバーピン３を押し下げたシャッターチャージ状態にある。
【００２３】
制止レバーＡ２７はカム盤２１を上記の位置で制止させるために先端の制止部２７ｂをカムブロックＣＢの制止カムＡ２３ａに衝突させ停止させた後、モータ３７の駆動電流が遮断されてモータ３７からの回転駆動力が消失するとカムブロックＣＢの左方向の回転モーメントも消失するため、制止部２７ｂに制止カムＡ２３ａが衝突する前にフックレバーＡ２８がフックばねＡ２９に逆らって右回転し、フックピンＡ２５から鍵部２８ｂが離れ、係止が解除されていることから、制止ばねＡ３０の付勢力によって、頭がフックピンＡ２５に当接するまで左方向に倒れた状態となっている。図２の２Ａはこの状態を示していてカムブロックＣＢの左回転起動に対して、障害が無くなっている。
【００２４】
次に撮影動作を開始するために、図２に示すようにモータ３７を左回転に起動させるとカムギヤ２０に得られた回転動力によりカムブロックＣＢが左回転し始め、カム盤２１の頂部２１ｂのほぼ下部分にあたる位置に解除盤２２の解除カム２２ａが逆Ｌ字形のロックレバー１１の左先端を押し、ロックレバー軸１２を中心に右方向に回転するため、ロックレバー１１の上方先端がチャージレバー１０の右側の指１０ａの先端との係止が外れるが、この時カム盤２１も左方向に回転進行していて、チャージレバー１０の中指１０ｂのローラ１４に対して谷部２１ｃに来ているため、チャージレバー１０はチャージばね４の弾性力によってＱＲ軸９を中心にＱＲレバー８と共に右回転する。このロックレバー１１がチャージレバー１０の右側の指１０ａ先端の係止が外れる瞬間にＳＴスイッチ３９によって信号が発生し、図示していない動作回路にその信号が送られる。
【００２５】
この動作状態を示したのが図２の２Ｂで、図示しないシャッターの走行開始を可能にするため、セットレバーピン３が上方に上がって解除し、同時にＱＲレバー８によって駆動軸７を押し上げ、ミラー受け５と共にミラー２を上昇位置に上昇させた状態を示している。ミラー２が上昇位置に達した瞬間、ＭＵスイッチ３８から信号が発せられ、動作回路にミラー上昇動作の完了を認識させると、図示しないシャッターの先幕を走行させ、適正な露光時間を経た後、後幕を走行させて、シャッター露光を完了する。
【００２６】
一方、カムブロックＣＢが図２の２Ａに示すスタート位置から左方向に回転起動させた後、チャージレバー１０に対してロックレバー１１を解除させる位置で回転を機械的に停止させるようになっているが、その詳細を図５の５Ａに示していて、この場合はカムブロックＣＢの制止盤Ｂ２４の制止カムＢ２４ａと制止レバーＢ３３が関係していて、カムブロックＣＢの回転進行に応じて、最初に制止レバーＢ３３に在るフックレバーＢ３４の解除部３４ａ（図５の５Ａにおいて点線で示す）に当たり、これを進行方向に押していき、フックレバーＢ３４はフックレバー軸Ｂ３３ａを中心に右方向に回転して鍵部３４ｂがフックピンＢ３１から外れる位置とほぼ同じ回転位置で、今度は制止レバーＢ３３の制止部３３ｂに衝突してカムブロックＣＢの回転が阻止される（図５の５Ａにおいて破線で示す。）この位置では既にフックレバーＢ３４はフックピンＢ３１から解除されているが、モータ３７からの動力でカムブロックＣＢの左回転トルク発生の作用が継続され、制止カムＢ２４ａが制止レバーＢ３３の制止部３３ｂを押圧している間は制止レバーＢ３３は動けない状態にいて、カムブロックＣＢの制止を継続している。しかし前記ＳＴスイッチ３９から信号が発生して、図示してない動作回路に送られて、モータ３７の電流が遮断されるとモータ３７からの回転駆動トルクが消滅するため、制止レバーＢ３３の制止部３３ｂを押圧している制止カムＢ２４ａからの圧力が無くなり、制止レバーＢ３３に掛けられている制止ばねＢ３６の付勢力に従って制止レバーＢ３３は制止レバー軸Ｂ３２を中心に上部がフックピンＢ３１に当たるまで左回転して移動する（図５の５Ａにおいて実線で示す）。
【００２７】
図５の５Ａに示す状態はカムブロックＣＢがミラー２の上昇スタート位置で機械的に強制停止された後、モータ３７の電流が遮断されて、回転が停止し、その位置で静止している状態ながら、制止レバーＢ３３の制止部３３ｂがカムブロックＣＢの制止カムＢ２４ａの回転軌道から離れていて、次の回転動作に障害が無くなっていることを示している。しかし制止レバーＢ３３の制止部３３ｂの反対側にある右下方突起のセット部３３ｃが制止カムＢ２４ａの回転軌道内に飛び出していることが解る。
【００２８】
次に図２の２Ｂに示す動作でミラー２が上昇後図示していないシャッターの先幕と後幕が走行してシャッター露光が完了すると、その信号を受けて図示してない動作回路はモータ３７に通電して、同じ左方向に回転起動する。これに従いカムブロックＣＢが左方向に回転し始めるが、この回転の初期状態を図２の２Ｃに表示したもので、カム盤２１に植設されている押圧ピン２１ａによって、係止レバー１６を係止レバーばね１７に抗して左に押していくことになるが、少し回転したところで係止レバー１６の中間に当たる位置に係合しているチャージレバー１０の係止ピン１０ｅが外れ、この瞬間にＱＲレバー８がチャージレバー１０に対しＭＤばね１８の反発力によってＱＲ軸９を中心に矢印の左方向に回転するため、ミラー２を上昇位置に保持している駆動軸７の支持が無くなり、図示しない復元ばねによってミラー２を含むミラー受け５がヒンジ軸６を中心に矢印の右回転して、ミラー２の下降位置であるファインダーの観察位置に復帰する。
【００２９】
図２の２Ｃではミラー２が下降復元するためのカムブロックＣＢの回転位置を示していて、この回転位置では制止カムＡ２３ａが制止レバーＡ２７のセット部２７ｃを押し、制止レバーＡ２７が制止レバー軸Ａ２６を中心に右回転することにより、頭部のフックレバーＡ２８の鍵部２８ｂがフックピンＡ２５に係合し、制止レバーＡ２７をセットさせる位置に復元する状態を示していて、フックレバーＡ２８の解除部２８ａ及び制止レバーＡ２７の制止部２７ｂがカムブロックＣＢの制止カムＡ２３ａの回転軌道内に突出して、次に出会う制止カムＡ２３ａを制止する役割を担わせるようリセットさせている（図５の５Ｂに示す制止レバーＡ２７の状態がリセット状態を示している）。
【００３０】
ミラー２がファインダーの観察位置に復元後、カムブロックＣＢを更に矢印の左回転を継続し、カム盤２１のカム曲線に沿ってチャージレバー１０の中指１０ｂのローラ１４を押しチャージレバー１０のＱＲ軸９を中心に左回転させることによって、左側の指１０ｃで図示しないシャッターのセットレバーピン３を押し下げ、シャッターチャージを行っていくが、その初期に当たるカムブロックＣＢの回転状態を図５の５Ｂで示している。
【００３１】
カムブロックＣＢが図５の５Ａの位置から少し矢印方向に回転が進むと制止盤Ｂ２４の制止カムＢ２４ａが制止レバーＢ３３のセット部３３ｃに当たり（図５の５Ｂにおいて破線で示す）、回転軌道から押し退けようとするため、制止レバーＢ３３は制止ばねＢ３６の付勢力に逆らって制止レバー軸Ｂ３２を中心に右回転し、制止レバーＢ３３の頭部にあるフックレバーＢ３４がフックピンＢ３１から離れて行き、制止レバーＢ３３のセット部３３ｃを制止カムＢ２４ａが押し切ったところで、フックばねＢ３５の復元力でフックレバーＢ３４の鍵部３４ｂがフックピンＢ３１と咬合し、更なるカムブロックＣＢの回転で制止カムＢ２４ａがセット部３３ｃから離れた後も制止レバーＢ３３を図５の５Ｂに示すように右方向に起立した姿勢を保持する。
【００３２】
制止レバーＢ３３のこの状態は制止部３３ｂと共にフックレバーＢ３４の解除部３４ａが図５の５Ｂに示すように、カムブロックＣＢの制止カムＢ２４ａの回転軌道内に突出していて、次に出会う制止カムＢ２４ａを制止する役割を担わせるようにリセットさせている（図５の５Ｂにおいて実線で示す）。
【００３３】
カムブロックＣＢが図５の５Ｂに示す位置から更に回転を進めると、前述のようにカム盤２１によるローラ１４の押圧力に従ってチャージレバー１０の左側の指１０ｃの押し下げでセットレバーピン３の下方向移動が進行していき、該セットレバーピン３が最下位のシャッターチャージ完了位置でカムブロックＣＢの回転を停止させるが、これは制止カムＡ２３ａが制止レバーＡ２７の制止部２７ｂに衝突して的確な位置に強制的に停止させるもので、この位置はカムブロックＣＢが一回転し、図２の２Ａに示すミラーのクイックリターン動作の起動位置に復帰したことになる。
【００３４】
図２の２Ａにおいて、カムブロックＣＢが機械的に回転が制止された状態ではチャージレバー１０の左回転で右側の指１０ａも最上位置に移動し、ロックレバーばね１３の復元力によってロックレバー１１の先端と係合してチャージレバー１０がロック状態になる位置でもある。このためロックレバー１１はＳＴスイッチ３９を押して、図示しない動作回路に信号を送出して微少時間後、モータ３７の通電を遮断しモータを停止させるが、この微少時間中はモータ３７からの回転駆動力がカムブロックＣＢに伝わり、制止カムＡ２３ａが先にフックレバーＡ２８の解除部２８ａを押して、鍵部２８ｂとフックピンＡ２５の咬合を解除したにも関わらず制止カムＡ２３ａが制止レバーＡ２７の制止部２７ｂを押圧し続けるため、制止ばねＡ３０の復元力に逆らってカムブロックＣＢを制止状態に保ち続ける。
【００３５】
この微少時間の設定は機械的制止時における安定動作を基準に決定されるものであるが、この時間によって連続の撮影における高速性能に影響するので、可能な限り微少量に設定されなければならない。カムブロックＣＢが制止レバーＡ２７によって回転を機械的に制止された後、当該微少時間後図示しない動作回路によってモータ３７の通電を遮断すると、モータ３７からの回転駆動力が消失するため、制止カムＡ２３ａによる制止レバーＡ２７の制止部２７ｂへの押圧力も無くなり、制止ばねＡ３０の付勢力で制止レバーＡ２７は制止レバー軸Ａ２６を中心に左に倒れ、図１及び図２の２Ａ、図５の５Ａに示すフックピンＡ２５に寄りかかった格好になる。これの状態は制止レバーＡ２７の制止部２７ｂ及びフックレバーＡ２８の解除部２８ａが共にカムブロックＣＢの制止カムＡ２３ａの回転軌道の外に離れ、カムブロックＣＢの回転の妨げにならない状態を現出し、ミラークイックリターン動作のスタート前のスタンバイ状態を復元することは動作説明図２の２Ａのところで既に説明していることである。
【００３６】
以上説明のようにカムブロックＣＢの初動位置から始まり初動位置に戻る一方向回転の間にミラーアップを起動させる位置で、制止レバーＢ３３によって回転を機械的に制止させ、シャッター走行後再回転でミラーダウン、シャッターチャージ完了の一回転動作で初動位置に戻ったところで、制止レバーＡ２７によって回転を機械的に制止させるようにしたところが本発明の特徴で、カムブロックＣＢを機械的に制止させるため速度を落としながら必要位置に斬近せしめる電子制御に比して位置決めが極めて正確になり、遙かに高速な連続動作が可能となる。
【図面の簡単な説明】
【００３７】
【図１】本発明のミラークイックリターン機構の構成平面図である。
【図２】当該機構の動作の様子を表した図である。
【図３】カムブロックＣＢの形状を表した斜視図である。
【図４】制止レバーＡ２７及びＢ３３の構成拡大図である。
【図５】制止レバーＡ２７及びＢ３３の動作の様子を表した構成拡大図である。
【符号の説明】
【００３８】
１  ミラーボックス
２  ミラー
３  セットレバーピン
４  チャージばね
５  ミラー受け
６  ヒンジ軸
７  駆動軸
８  ＱＲレバー
９  ＱＲ軸
１０  チャージレバー
１１  ロックレバー
１２  ロックレバー軸
１３  ロックレバーばね
１４  ローラ
１５  カム軸
１６  係止レバー
１７  係止レバーばね
１８  ＭＤばね
１９  減速ギヤ列
２０  カムギヤ
２１  カム盤
２２  解除盤
２３  制止盤Ａ
２４  制止盤Ｂ
２５  フックピンＡ
２６  制止レバー軸Ａ
２７  制止レバーＡ
２８  フックレバーＡ
２９  フックばねＡ
３０  制止ばねＡ
３１  フックピンＢ
３２  制止レバー軸Ｂ
３３  制止レバーＢ
３４  フックレバーＢ
３５  フックばねＢ
３６  制止ばねＢ
３７  モータ
３８  ＭＵスイッチ
３９  ＳＴスイッチ
ＣＢ  カムブロック
【図１】
2006184717.tif 000003
【図２】
2006184717.tif 000004
【図３】
2006184717.tif 000005
【図４】
2006184717.tif 000006
【図５】
2006184717.tif 000007